(57)【要約】【課題】簡易な構成で火力表示を行うことができるガスコンロを提供する。【解決手段】燃料供給装置２０は、操作つまみ１３、１４の回動操作に伴い火力調節カムを回転し、コンロバーナへのガスの供給量を調整する。発光部材４０は火力調節カムに固定され、操作つまみ１３、１４の回動操作に伴い発光部４７を回転する。発光部４７は複数のＬＥＤを内蔵し、拡散板４３によって前面全体を発光する。発光部４７は周方向に長い。発光部４７が発する光は、化粧パネル８０の窓部８８を点灯する。操作つまみ１３、１４を反時計回りに回動操作すると、火力が弱まり、点灯する窓部８８の数が減少する。操作つまみ１３、１４を時計回りに回動操作すると、火力が強まり、点灯する窓部８８の数が増加する。【選択図】図４
2019032098.tif 000002
【特許請求の範囲】
【請求項１】
上部にコンロバーナが配置される筐体と、
前記筐体内の前部に配置され、前記コンロバーナにガスを供給し、且つ前記コンロバーナへのガスの供給と遮断の操作を行う操作部を備える燃料供給装置と、
前記燃料供給装置の前方にて前記筐体に固定され、前記操作部の操作状態を示すパネル装置と、
を備えたガスコンロであって、
前記燃料供給装置の前記操作部は、
回動操作によって前記コンロバーナに供給するガスの供給量を調整可能な操作つまみと、
押し込み操作を行うたびに、前記パネル装置の前面に対して前記操作つまみが突出する操作位置と、前記操作つまみが前記操作位置よりも後方に位置する待機位置との間で、前記操作つまみを交互に変位させるプッシュ・プッシュ機構と、
を備え、
前記燃料供給装置は、
前記操作つまみが前記操作位置にあるときは、前記コンロバーナにガスを供給し、且つ前記操作つまみによりガスの供給量を調整可能な状態であり、
前記操作つまみが前記待機位置にあるときは、前記コンロバーナへのガスの供給を遮断した状態であり、
さらに、筒状を呈して前記操作つまみの周囲を取り囲む本体部と、前記本体部の外周面において周方向の少なくとも一部にて径方向外向きに突出し、前方へ向けて光を発する発光部と、前記操作部に係合し、前記操作つまみの回動操作に応じて前記本体部を回動する係合部と、を有する発光部材を備え、
前記パネル装置は、
前記燃料供給装置の前方にて前記筐体に固定され、前後方向に貫通し、前記操作つまみが配置される貫通穴を有するパネル本体と、
前記パネル本体の前部に装着され、前記貫通穴と前後方向に重なる位置にて開口し、且つ前記貫通穴よりも小径に形成されて前記操作つまみが配置される開口部と、前記開口部の周りに設けられ、光を透過する透光部と、を有する化粧パネルと、
を備えたことを特徴とするガスコンロ。
【請求項２】
前記発光部は周方向に帯状に延び、
複数の光源と、
前記複数の光源の発光パターンを制御する制御部と、
を備えたことを特徴とする請求項１に記載のガスコンロ。
【請求項３】
前記透光部は、前記開口部の周りにて周方向に等間隔に並んで配列される複数の小透光部からなり、
前記本体部の周方向における前記発光部の幅は、前記複数の小透光部の配列間隔以上であることを特徴とする請求項１又は２に記載のガスコンロ。
【請求項４】
前記本体部の周方向における前記発光部の幅は、前記複数の小透光部のうち、周方向の両端に位置する２つの小透光部の間隔以上であることを特徴とする請求項３に記載のガスコンロ。
【発明の詳細な説明】
【技術分野】
【０００１】
本発明はガスコンロに関する。
【背景技術】
【０００２】
ガスコンロは、コンロバーナにガスを供給する燃料供給装置を備える。例えば特許文献１に記載の燃焼量調整体は、回動操作可能なプッシュ・プッシュ機構を有しており、押し込み操作により、コンロ本体の前面から突出あるいは収容される。突出時には、コントローラによってコンロバーナへの点火処理が実行される。コントローラは、燃焼量調整体の回動操作量をポジションセンサによって検出し、検出量に応じてモータを駆動してコンロバーナに供給するガス量を調整する。
【先行技術文献】
【特許文献】
【０００３】
【特許文献１】特開２０１５−３６５９３号公報
【発明の概要】
【発明が解決しようとする課題】
【０００４】
しかしながら、低コスト化を図るため、コントローラ、ポジションセンサ等の装置、部品を省き、コンロバーナの点火処理とガス供給量の調整をカム等の機械的な構成で行った場合、燃焼量調整体の回動操作量が分からなくなるため、ＬＥＤの点灯による火力表示を行うことが難しかった。
【０００５】
本発明の目的は、簡易な構成で火力表示を行うことができるガスコンロを提供することである。
【課題を解決するための手段】
【０００６】
本発明の請求項１に係る発明のガスコンロは、上部にコンロバーナが配置される筐体と、前記筐体内の前部に配置され、前記コンロバーナにガスを供給し、且つ前記コンロバーナへのガスの供給と遮断の操作を行う操作部を備える燃料供給装置と、前記燃料供給装置の前方にて前記筐体に固定され、前記操作部の操作状態を示すパネル装置と、を備えたガスコンロであって、前記燃料供給装置の前記操作部は、回動操作によって前記コンロバーナに供給するガスの供給量を調整可能な操作つまみと、押し込み操作を行うたびに、前記パネル装置の前面に対して前記操作つまみが突出する操作位置と、前記操作つまみが前記操作位置よりも後方に位置する待機位置との間で、前記操作つまみを交互に変位させるプッシュ・プッシュ機構と、を備え、前記燃料供給装置は、前記操作つまみが前記操作位置にあるときは、前記コンロバーナにガスを供給し、且つ前記操作つまみによりガスの供給量を調整可能な状態であり、前記操作つまみが前記待機位置にあるときは、前記コンロバーナへのガスの供給を遮断した状態であり、さらに、筒状を呈して前記操作つまみの周囲を取り囲む本体部と、前記本体部の外周面において周方向の少なくとも一部にて径方向外向きに突出し、前方へ向けて光を発する発光部と、前記操作部に係合し、前記操作つまみの回動操作に応じて前記本体部を回動する係合部と、を有する発光部材を備え、前記パネル装置は、前記燃料供給装置の前方にて前記筐体に固定され、前後方向に貫通し、前記操作つまみが配置される貫通穴を有するパネル本体と、前記パネル本体の前部に装着され、前記貫通穴と前後方向に重なる位置にて開口し、且つ前記貫通穴よりも小径に形成されて前記操作つまみが配置される開口部と、前記開口部の周りに設けられ、光を透過する透光部と、を有する化粧パネルと、を備えたことを特徴とする。
【０００７】
請求項２に係る発明のガスコンロは、請求項１に記載の発明の構成に加え、前記発光部は周方向に帯状に延び、複数の光源と、前記複数の光源の発光パターンを制御する制御部と、を備えたことを特徴とする。
【０００８】
請求項３に係る発明のガスコンロは、請求項１又は２に記載の発明の構成に加え、前記透光部は、前記開口部の周りにて周方向に等間隔に並んで配列される複数の小透光部からなり、前記本体部の周方向における前記発光部の幅は、前記複数の小透光部の配列間隔以上であることを特徴とする。
【０００９】
請求項４に係る発明のガスコンロは、請求項３に記載の発明の構成に加え、前記本体部の周方向における前記発光部の幅は、前記複数の小透光部のうち、周方向の両端に位置する２つの小透光部の間隔以上であることを特徴とする。
【発明の効果】
【００１０】
請求項１に係る発明のガスコンロによれば、燃料供給装置は、操作つまみの回動動作に応じてガスの供給量を調整する。発光部は、操作つまみの回動動作に応じて本体部と共に回転する。即ち、発光部は、ガスの供給量に応じて回転する。故にガスコンロは、操作つまみの回動位置に対応する火力表示を、発光部が発し透光部を透過する光によって示すことができる。これにより、例えば、エンコーダ等で操作つまみの回動位置を検出し、検出した位置をＬＥＤ等で示すために必要であった各種部品等を用いずとも火力表示を行うことができ、生産コストを低減することができる。また、操作つまみは、回動動作だけでなく、プッシュ・プッシュ機構によって、操作位置と待機位置との間で変位する動作も行う。このような複雑な動作を行う操作つまみを有する操作部に対し、発光部を有する筒状の発光部材を、係合部を介して固定することで、燃料供給装置は、発光部を含む一つのユニットとして提供される。従って、パネル装置の貫通穴は、形成時に、発光部と操作つまみを一つの部品として芯出しを行うだけで、回動動作する発光部と、回動動作に加えて前後方向への変位動作を行う操作つまみを夫々個別に芯出しする場合と比べ、容易に、且つ精度よく形成することができる。
【００１１】
請求項２に係る発明のガスコンロによれば、請求項１に記載の発明の効果に加え、制御部によって複数の光源の発光パターンを制御することで、ガスコンロは、様々なパターンによる火力表示を行うことができる。また、単なる点灯表示による火力表示ではなく、発光パターンに基づく火力表示を行うことで、火力表示の認識性を高めることができる。
【００１２】
請求項３に係る発明のガスコンロによれば、請求項１又は２に記載の発明の効果に加え、操作つまみがどの位置に回動しても、発光部は、少なくとも１つの小透光部に光を透過させ、火力表示を行うことができる。故にガスコンロは、発光部が２つの小透光部の間に位置し、発光部からの光がいずれの小透光部も透過できず、火力表示がなされない状態になることを防止することができる。
【００１３】
請求項４に係る発明のガスコンロによれば、請求項３に記載の発明の効果に加え、発光部は、操作つまみの回動位置に応じて、光が透過する小透光部の数を増減することができる。即ち発光部は、現在の火力に応じた数の小透光部に光を透過させ、火力表示を行うことができる。故に、簡易な構成で火力表示の認識性に優れたガスコンロを提供できる。
【００１４】
なお、本発明は、請求項１から４の夫々の発明特定事項を任意に組み合わせてもよい。
【図面の簡単な説明】
【００１５】
【図１】ガスコンロ１の斜視図である。
【図２】燃料供給装置２０の斜視図である。
【図３】発光部材４０の分解斜視図である。
【図４】パネル装置９Ｂの分解斜視図である。
【図５】パネル本体部５０に燃料供給装置２０を組み付けた斜視図である。
【図６】化粧パネル８０の背面側の斜視図である。
【図７】化粧パネル８０の正面図である。
【図８】変形例の発光基板１４１の斜視図である。
【発明を実施するための形態】
【００１６】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１７】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００１８】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００１９】
図２を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００２０】
図２に示すように、燃料供給装置２０は、操作つまみ１４の押し込み操作と回動操作により、左バーナ５の点火と消火、及び左バーナ５に供給するガス量の調節を行う装置である。押し込み操作は、操作つまみ１４の前面を後方へ押圧し、ガスコンロ１の前面よりも奥側に押し込む操作である。回動操作は、操作つまみ１４の側面を把持し、前後方向の軸（軸心ＡＸ）を中心に回転する操作である。燃料供給装置２０は、操作部２１、ガス流路部２２、火力調節カム２６、流量調節部３１等を備える。
【００２１】
操作部２１は操作つまみ１４、プッシュ・プッシュ機構２４、連結部材２５を備える。連結部材２５は後述する。操作つまみ１４は略円柱状に形成される。操作つまみ１４は、ガスコンロ１の後方へ向けて押し込み移動させることにより、待機位置、押込位置、操作位置の各位置に移動する。待機位置は、操作つまみ１４の先端面が、ガスコンロ１の前面とほぼ面一となる位置である。待機位置において、操作つまみ１４の先端面は、ガスコンロ１の前面よりも僅かに後側に位置してもよいし、僅かに前側に位置してもよい。なお、図２に示す燃料供給装置２０は、操作つまみ１４が待機位置に位置する。押込位置は、操作つまみ１４の先端面が、ガスコンロ１の前面よりも後方に押し込まれた位置である。操作つまみ１４は、押込位置にて待機位置よりも後方に位置する。操作位置は、操作つまみ１４の先端面が、ガスコンロ１の前面に対して突出する位置である。操作つまみ１４は、操作位置にて待機位置よりも前方に位置する。操作位置にあるとき、操作つまみ１４は、前後方向に沿う軸心ＡＸを中心に回転可能（回動操作可能）である。
【００２２】
プッシュ・プッシュ機構２４は、操作つまみ１４を待機位置、押込位置、操作位置の各位置にて位置決めし、各位置に応じて後述するメイン弁（図示略）を開放状態又は閉鎖状態に維持する。プッシュ・プッシュ機構２４の内部には、操作つまみ１４の押し込み操作に合わせて前後方向に移動するスライダ（図示略）と、スライダを前方へ向けて付勢するバネと、メイン弁を駆動する弁駆動部（図示略）が設けられる。スライダには公知のカム機構（図示略）が設けられる。スライダは、操作つまみ１４が押し込み操作されるたびに、操作つまみ１４を待機位置から押込位置を経て操作位置に移動する動作と、操作位置から押込位置を経て待機位置に移動する動作とを繰り返す。弁駆動部は、操作つまみ１４が待機位置から操作位置に移動する動作に連動してメイン弁を開放し、且つ開放状態に維持する動作を行い、操作つまみ１４が操作位置から待機位置に移動する動作に連動してメイン弁を閉鎖し、且つ閉鎖状態に維持する動作を行う。
【００２３】
ガス流路部２２は、プッシュ・プッシュ機構２４の後側に連結される。ガス流路部２２の内部には第一ガス通路（図示略）が形成される。第一ガス通路は、下部に開口する導入口２３に接続するガス供給管（図示略）から供給されるガスを、流量調節部３１に流通する。第一ガス通路には安全弁（図示略）とメイン弁（図示略）が設けられる。安全弁は、第一ガス通路を閉じる閉状態に弾性付勢された電磁操作式の弁である。メイン弁は、操作つまみ１４の押し込み操作に応じて第一ガス通路の開閉を行う弁である。なお、メイン弁と安全弁はいずれも周知のものであるので、動作の詳細な説明は省略する。
【００２４】
流量調節部３１はプッシュ・プッシュ機構２４とガス流路部２２の上部に設けられる。流量調節部３１の内部には第二ガス通路（図示略）が形成される。第二ガス通路は、ガス流路部２２から供給されるガスを流通し、上部に開口する流出口３２に接続されるガス供給管（図示略）を介して左バーナ５に供給する。流量調節部３１の前端部には第二ガス通路に連通する穴部３０が形成され、ニードル弁２８が挿入される。ニードル弁２８は、前端部側が穴部３０から外部に露出され、後端部側が第二ガス通路内にて前後方向に移動可能に配置される。ニードル弁２８の前端部には、上下方向に延びるピン２９が設けられる。ピン２９の下端部は、火力調節カム２６のカム溝２７（後述）に係合する。
【００２５】
図２、図３に示すように、火力調節カム２６は略半円筒状に形成され、プッシュ・プッシュ機構２４の前端側上部を覆うようにして、軸心ＡＸの回りを回転可能に設けられる。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回転すると、カム溝２７がピン２９を案内し、ニードル弁２８を前後方向に移動する。
【００２６】
火力調節カム２６は、前方に延びる延伸部３４（図３参照）を備え、延伸部３４の前端部分に内向きに突出する歯部３５（図３参照）を有する。歯部３５は操作つまみ１４が操作位置にあるときに連結部材２５の歯部（図示略）に噛合し、連結部材２５を介して火力調節カム２６を操作つまみ１４と共に軸心ＡＸを中心に回転する。
【００２７】
延伸部３４の外周面には、発光部材４０が固定される。発光部材４０は、操作つまみ１４の回動操作に伴い流量が変化するガスに応じた火力を表示するための部材である。図３に示すように、発光部材４０は、発光基板４１、拡散板４３、基体４５を備える。発光基板４１は、正面視、半円環状に形成された電子基板であり、表面側に複数（本実施形態では３つ）のＬＥＤ４２を実装する。ＬＥＤ４２は略等間隔に離れて配置される。拡散板４３は、半円環状に形成された板状体であり、ＬＥＤ４２が出射する光を略均一に拡散し、前面全体で発光する。
【００２８】
基体４５は、本体部４６、発光部４７、係合部４８を備える。本体部４６は前後方向に延びる円筒形状を呈する。本体部４６の内径は操作つまみ１４の外径より大きい。燃料供給装置２０を組み立てた場合に、本体部４６は操作つまみ１４の周囲を取り囲むように配置される。本体部４６は、周方向の一部が後方へ突出し、係合部４８を形成する。係合部４８は、火力調節カム２６の延伸部３４に係合し、操作つまみ１４の回動操作に応じて発光部材４０を火力調節カム２６と一体に回転する。
【００２９】
発光部４７は、本体部４６の外周面において周方向の一部に設けられる。発光部４７は本体部４６から径方向外向きに突出する。発光部４７は、前後方向に貫通する半円環状の穴部４９を有する。穴部４９の後側開口部分には発光基板４１が組み付けられ、穴部４９内にＬＥＤ４２が配置される。穴部４９の前側開口部分には拡散板４３が組み付けられる。よって発光部４７は、拡散板４３がＬＥＤ４２の光を拡散することによって、前面全体が発光する。また、本体部４６の発光部４７が形成されてない部分には、前側端部から径方向外向きに鍔状に突出する鍔部３８が設けられる。発光部４７の正面視時計回り側の端部には、前方に突出する突出部３９が設けられる。突出部３９は操作つまみ１４が正面視で時計回りに回動操作されたときにパネル本体部５０の突片５４（図５参照）に当接し、ストッパとして機能する。
【００３０】
図２、図３に示すように、操作部２１の連結部材２５は、プッシュ・プッシュ機構２４のスライダから前方に延び、軸心ＡＸを軸とする軸体（図示略）に係合する。連結部材２５は、前端部にて操作つまみ１４を一体に固定し、操作つまみ１４と共に軸心ＡＸを中心に回転可能に設けられる。連結部材２５は、後端部外周面に、火力調節カム２６の歯部３５に噛合する歯部（図示略）を有する。操作つまみ１４が操作位置にあるとき、連結部材２５の歯部は火力調節カム２６の歯部３５と噛合し、操作つまみ１４と火力調節カム２６を連結する。操作つまみ１４が操作位置にない場合には、火力調節カム２６の歯部３５は連結部材２５の歯部の前方に位置して噛合せず、操作つまみ１４と火力調節カム２６の連結状態を解除する。
【００３１】
次に、操作つまみ１４の回動操作による点火及び消火と火力の調節について説明する。左バーナ５の消火時、操作つまみ１４は、待機位置にある。ユーザが操作つまみ１４を押し込み、操作つまみ１４が押込位置に移動する過程で、安全弁とメイン弁が開放され、イグナイタ（図示略）によって左バーナ５が点火される。ユーザが操作つまみ１４から手を離すと、操作つまみ１４はバネの付勢により操作位置に移動する。安全弁とメイン弁は開放状態に維持される。連結部材２５によって、操作つまみ１４と火力調節カム２６が連結される。
【００３２】
操作つまみ１４が操作位置にある状態で操作つまみ１４が回動操作されると、火力調節カム２６と発光部材４０は操作つまみ１４と共に軸心ＡＸの回りを回転する。火力調節カム２６が回転すると、ニードル弁２８のピン２９がカム溝２７に案内されて、前後方向に移動する。これにより、ニードル弁２８が前後方向に移動するので、ニードル弁２８の位置に応じて、第二ガス通路を流通するガスの流量が調節され、左バーナ５の火力が変更される。
【００３３】
ユーザが操作つまみ１４を押し込み、操作つまみ１４が押込位置に移動する過程で、安全弁とメイン弁が閉鎖される。左バーナ５は消火する。ユーザが操作つまみ１４から手を離すと、操作つまみ１４はバネの付勢により待機位置に移動する。安全弁とメイン弁は閉鎖状態に維持される。
【００３４】
このように、燃料供給装置２０は、操作つまみ１４の回動操作に伴い、火力調節カム２６がニードル弁２８を移動することによって、流量調節部３１の第二ガス通路を流通するガスの流量を無段階に調節する。即ち、操作つまみ１４の回転量に応じて、左バーナ５の火力がリニアに変化する。右バーナ４、奥バーナ６に夫々対応する操作つまみ１１、１３についても同様である。ガスコンロ１は、操作つまみ１１、１３、１４の夫々の回転量に応じた火力表示を行うため、前面に設けるパネル装置９Ａ、９Ｂに火力表示機能を備える。
【００３５】
図１に示すように、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００３６】
なお、グリル装置の燃料供給装置は、操作つまみ１２の回転位置に応じてオン・オフが切り替わる複数のスイッチ（図示略）を備える。グリル装置の流量調節部は、複数のスイッチのオン・オフの状態に応じて複数の電磁弁の開閉状態を切り替えることによって、グリルバーナの火力調節を行う。従って、グリル装置の火力表示は、複数のスイッチのオン・オフの状態に合わせ、パネル装置９Ａに設けたＬＥＤの点灯・消灯の状態を段階的に切り替えることによって行われる。
【００３７】
これに対し、パネル装置９Ａにおける右バーナ４の火力表示と、パネル装置９Ｂにおける左バーナ５と奥バーナ６の火力表示を行う上で、燃料供給装置２０は、操作つまみ１１、１３、１４の回転量を検出するエンコーダを搭載しない。よって、パネル装置９Ａ、９Ｂは、操作つまみ１１、１３、１４の回転位置に応じてＬＥＤの点灯・消灯の状態を切り替える制御は行わない。本実施形態では、発光部４７から発せられる光をパネル装置９Ａ、９Ｂの前面において表示しつつ、発光部４７が操作つまみ１１、１３、１４の回動操作に伴い回転することによって光の表示範囲を変更し、火力表示を行う。
【００３８】
図４〜図６を参照し、パネル装置９Ｂについて説明する。なお、パネル装置９Ａにおける右バーナ４の火力表示に係る部分の構成は、パネル装置９Ｂにおける左バーナ５、奥バーナ６の火力表示に係る部分の構成と同じである。よって、パネル装置９Ａの構成は、パネル装置９Ｂの構成に準ずるものとして、説明を省略する。
【００３９】
パネル装置９Ｂは、パネル本体部５０と化粧パネル８０を備える。パネル本体部５０は、筐体２の前端部に組み付けられる。パネル本体部５０の下側部分５１は箱型に形成され、操作パネル（図示略）が収容される。パネル本体部５０の上側部分５２は、下側部分５１から上方へ向けて板状に突出する。上側部分５２には、前後方向に貫通する２つの貫通穴５３が左右方向に並んで形成される。貫通穴５３の内径は、発光部材４０の発光部４７の外径より大きい。左バーナ５と奥バーナ６の燃料供給装置２０は、左右に並べた状態で、取付金具３３を用い、パネル本体部５０の上側部分５２に後側から固定される（図５参照）。２つの燃料供給装置２０の連結部材２５と操作つまみ１３、１４と、発光部材４０の発光部４７は、夫々、２つの貫通穴５３内に配置される。操作つまみ１３、１４と発光部材４０は軸心ＡＸを中心に一体に回転する。従って、ガスコンロ１の製造過程において貫通穴５３を形成する場合、操作つまみ１３、１４と発光部材４０を一つの部品として芯出しを行えば、操作つまみ１３、１４及び発光部材４０と軸ずれのない貫通穴５３を容易に且つ精度よく形成することができる。
【００４０】
２つの貫通穴５３内には、夫々、内向きに突出する突片５４が設けられる。突片５４は、正面視、貫通穴５３の右側内面に設けられており、操作つまみ１３、１４が時計回りに回動操作されたときに、発光部４７の時計回り側の端部に設けられた突出部３９に当接する。
【００４１】
図４、図６に示すように、化粧パネル８０は、パネル本体部５０の上側部分５２の前側に組み付けられる板状体である。化粧パネル８０は、基体８１とパネル板８２を備える。基体８１は、化粧パネル８０の本体部分であり、パネル板８２が組み付けられる。基体８１は正面視略長方形状であり、上端部にスライドロック８５を備える。化粧パネル８０をパネル本体部５０の上側部分５２に組み付けたとき、スライドロック８５を右側にスライドすると、化粧パネル８０がパネル本体部５０に固定される。
【００４２】
基体８１には、前後方向に貫通する２つの開口部８６が左右方向に並んで形成される。開口部８６の内径は、操作つまみ１３、１４の外径より大きい。２つの開口部８６内には夫々、操作つまみ１３、１４が配置される。開口部８６は、後方に筒状に突出する筒状突部８９を有する。化粧パネル８０をパネル本体部５０に組み付けたとき、筒状突部８９は操作つまみ１３、１４の外周面と、発光部材４０の本体部４６の内周面との間に配置される。筒状突部８９は、発光部４７から発せられる光を遮り、操作つまみ１３、１４の外表面が照らされることを抑制する。２つの開口部８６の上側外周部分には、夫々、前後方向に貫通する半円環状の透過部８７が形成される。透過部８７は、操作つまみ１３、１４が回動操作された場合に、正面視において発光部４７が通過可能な位置に設けられる。発光部４７から発せられる光のうち、透過部８７を通過した光のみが、パネル板８２の裏面に到達することができる。
【００４３】
パネル板８２は、例えば透明な樹脂板の後面（裏面）を着色した化粧板である。パネル板８２は、基体８１の開口部８６に対応する位置に、２つの丸穴９１を開口する。丸穴９１の内径は、操作つまみ１３、１４の外径より大きく、開口部８６の内径と略同じである。透過部８７に対応する位置には、夫々、５つの円形の窓部８８が形成されている。窓部８８は着色されておらず、発光部４７から発せられる光を透過することができる。窓部８８は丸穴９１の上側外周部分において周方向に略等間隔に配置される。パネル板８２は、基体８１の前面に接着剤等で貼り付けられる。
【００４４】
発光基板４１のＬＥＤ４２は、安全弁の開放時に全てが点灯する。前述したように、操作つまみ１３、１４が操作位置にあるとき、火力調節カム２６は操作つまみ１３、１４と連結し、操作つまみ１３、１４の回動操作に応じて奥バーナ６、左バーナ５の火力を調節することができる。図７に示すように、操作つまみ１３、１４が回転すると、発光部材４０の発光部４７は、軸心ＡＸを中心に操作つまみ１３、１４の周りを回転する。化粧パネル８０の窓部８８のうち、正面視で発光部４７と重なる位置の窓部８８は、発光部４７から発せられる光によって点灯する。
【００４５】
発光部４７の周方向の長さＡは、略等間隔に並ぶ窓部８８のうち、周方向の両端に位置する２つの窓部８８の配列間隔Ｂ以上である。これにより、操作つまみ１３、１４の回動位置によって、発光部４７と重なる窓部８８の数が増減するので、ガスコンロ１は、火力表示の認識性に優れる。
【００４６】
具体的に、図７の例では、左バーナ５の操作つまみ１４の発光部４７は、５つの窓部８８のうち、左端の窓部８８と重なる。窓部８８は１つ点灯し、発光部４７と重ならない４つの窓部８８は消灯する。窓部８８が等間隔で配置されているので、ガスの流量の変化が操作つまみ１３、１４の回動量に比例する場合、左バーナ５の火力表示は５段階のうちの１段目（例えば弱火）であることが示される。奥バーナ６の操作つまみ１３は、正面視において操作つまみ１４よりも時計回りに多く回動した位置にある。操作つまみ１３の発光部４７は、５つの窓部８８のうち、左側から３つ目までの窓部８８と重なる。窓部８８は３つ点灯し、発光部４７と重ならない２つの窓部８８は消灯する。これにより、奥バーナ６の火力表示は５段階のうちの３段目（例えば中火）であることが示される。このように、ガスコンロ１は、操作つまみ１３、１４の回動量に応じて、点灯する窓部８８の数が増減するので、窓部８８の点灯数に応じた火力表示を行うことができる。弱火であれば窓部８８の点灯数が少なく、火力が強くなるほど窓部８８の点灯数が増加するので、ガスコンロ１は、火力表示の認識性が高い。
【００４７】
操作つまみ１３、１４を正面視時計回りに回すほど火力が大きくなるが、発光部４７の突出部３９がパネル本体部５０の突片５４に当接すると、操作つまみ１３、１４の回転が規制される。このとき、発光部４７は、全ての窓部８８と重なった状態にあり、５つの窓部８８全てが点灯する。また、操作つまみ１３、１４を反時計回りに回すほど火力が小さくなるが、ニードル弁２８が第二ガス通路を完全に塞ぐと、操作つまみ１３、１４の回転が規制される。このとき、発光部４７は、左端の窓部８８と重なった状態にあり、１つの窓部８８が点灯する。もっとも、操作つまみ１３、１４の回転が反時計回りにおいて規制された位置で、発光部４７は、いずれの窓部８８とも重ならない状態であってもよい。なお、詳細な説明は省くが、第二ガス通路にはバイパス通路（図示略）が設けてある。ニードル弁２８が第二ガス通路を完全に塞いでも、バイパス通路を介してガスが供給されるので、奥バーナ６、左バーナ５は、燃焼状態を弱火で維持することができる。
【００４８】
以上説明したように、燃料供給装置２０は、操作つまみ１１、１３、１４の回動動作に応じてガスの供給量を調整する。発光部４７は、操作つまみ１１、１３、１４の回動動作に応じて火力調節カム２６と共に回転する。即ち、発光部４７は、ガスの供給量に応じて回転する。故にガスコンロ１は、操作つまみ１１、１３、１４の回動位置に対応する火力表示を、発光部４７が発し窓部８８を透過する光によって示すことができる。これにより、例えば、エンコーダ等で操作つまみ１１、１３、１４の回動位置を検出し、検出した位置をＬＥＤ等で示すために必要であった各種部品等を用いずとも火力表示を行うことができ、生産コストを低減することができる。また、操作つまみ１１、１３、１４は、回動動作だけでなく、プッシュ・プッシュ機構２４によって、操作位置と待機位置との間で変位する動作も行う。このような複雑な動作を行う操作つまみ１１、１３、１４を有する操作部２１に対し、発光部４７を有する筒状の発光部材４０を、係合部４８を介して固定することで、燃料供給装置２０は、発光部４７を含む一つのユニットとして提供される。故に、パネル装置９Ａ、９Ｂの貫通穴５３は、形成時に、発光部４７と操作つまみ１１、１３、１４を一つの部品として芯出しを行うだけで、回動動作する発光部４７と、回動動作に加えて前後方向への変位動作を行う操作つまみ１１、１３、１４を夫々個別に芯出しする場合と比べ、容易に、且つ精度よく形成することができる。
【００４９】
ＩＣ１４３によって複数のＬＥＤ１４２の発光パターンを制御することで、ガスコンロ１は、様々なパターンによる火力表示を行うことができる。また、単なる点灯表示による火力表示ではなく、発光パターンに基づく火力表示を行うことで、火力表示の認識性を高めることができる。
【００５０】
操作つまみ１１、１３、１４がどの位置に回動しても、発光部４７は、少なくとも１つの窓部８８に光を透過させ、火力表示を行うことができる。故にガスコンロ１は、発光部４７が２つの窓部８８の間に位置し、発光部４７からの光がいずれの窓部８８も透過できず、火力表示がなされない状態になることを防止することができる。
【００５１】
発光部４７は、操作つまみ１１、１３、１４の回動位置に応じて、光が透過する窓部８８の数を増減することができる。即ち発光部４７は、現在の火力に応じた数の窓部８８に光を透過させ、火力表示を行うことができる。故に、簡易な構成で火力表示の認識性に優れたガスコンロ１を提供できる。
【００５２】
なお、本発明は上記実施形態に限定されるものではなく、種々の変更が可能である。発光基板４１には３つのＬＥＤ４２を設けたが、２つ以下でもよいし、４つ以上設けてもよい。拡散板４３はなくてもよい。また、光源はＬＥＤに限らず、有機ＥＬ等、他の光源を用いてもよい。
【００５３】
発光部４７の周方向の長さＡは、ＬＥＤ４２全ての配列間隔Ｂよりも短くてもよい。この場合、長さＡは、少なくとも隣り合う窓部８８の周方向の配列間隔以上であれば、操作つまみ１１、１３、１４がどの位置に回動しても、発光部４７が少なくとも１つの窓部８８と重なることができるので、好ましい。
【００５４】
パネル装置９Ｂは２つの燃料供給装置２０の夫々に対応する火力表示を行うが、１つの燃料供給装置２０を単独で組み付けて火力表示を行ってもよいし、３つ以上の燃料供給装置２０を組み付けて火力表示を行ってもよい。
【００５５】
窓部８８は各コンロバーナに対し５つ設けたが、５つに限らず、５つより多くても少なくてもよい。また、窓部８８を半円環状に形成し、１つのみ設けてもよい。この場合、半円環状の窓部のうち、発光部４７と重なる部分は明るく光り、重ならない部分は暗い状態となる。従って、半円環状の窓部において、明るく光る部分が占める領域の大きさによって火力表示を行うことができ、火力表示の認識性を高めることができる。
【００５６】
発光部４７は、発光パターンに従ってＬＥＤ４２を発光させてもよい。例えば、図８に示すように、発光基板１４１は、複数のＬＥＤ１４２と、ＩＣ１４３を搭載する。ＩＣ１４３にはＬＥＤ１４２を様々な発光パターンに従って点灯・消灯・点滅するためのプログラムが予め記憶されている。発光基板１４１に通電すると、ＩＣ１４３がプログラムに従って動作し、ＬＥＤ１４２の点灯状態を制御する。発光パターンは、例えば、所定の時間毎にＬＥＤ１４２の発光色を変更するパターン、複数のＬＥＤ１４２を、順に点灯・消灯・点滅するパターン、ＬＥＤ１４２の輝度を所定の時間毎に変化させ、瞬くような揺らぎを実行するパターン等であってもよい。
【００５７】
上記説明において、右バーナ４、左バーナ５、奥バーナ６が本発明の「コンロバーナ」の一例である。窓部８８が本発明の「透光部」に相当する。ＬＥＤ４２、１４２が本発明の「光源」に相当する。ＩＣ１４３が本発明の「制御部」に相当する。
【符号の説明】
【００５８】
１                          ガスコンロ
２                          筐体
４                          右バーナ
５                          左バーナ
６                          奥バーナ
９Ａ、９Ｂ                  パネル装置
１１、１３、１４            操作つまみ
２０                        燃料供給装置
２１                        操作部
２４                        プッシュ機構
４０                        発光部材
４２                        ＬＥＤ
４６                        本体部
４７                        発光部
４８                        係合部
５０                        パネル本体部
５３                        貫通穴
８０                        化粧パネル
８６                        開口部
８８                        窓部
１４３                      ＩＣ
【図１】
2019032098.tif 000003
【図２】
2019032098.tif 000004
【図３】
2019032098.tif 000005
【図４】
2019032098.tif 000006
【図５】
2019032098.tif 000007
【図６】
2019032098.tif 000008
【図７】
2019032098.tif 000009
【図８】
2019032098.tif 000010